(57)【要約】【課題】本考案はゴルフクラブのグリップ部用覆いカバーに関し、各プレーヤー毎に選択される適当数のゴルフクラブのグリップ部のカバー本体に対する出し入れ操作が迅速かつ確実に行えて取り扱いが簡便になり、各コースでのプレースポット毎にグリップ部が雨に濡れるのを確実に防止し、運搬を楽に行う。【解決手段】柔軟性を有する撥水性材料にて形成される表装材３と該表装材の内面に重合される吸水性部材４とにより形成されるカバー本体１を二つ折りして上縁部５及び左右の一側端６を閉鎖端に形成するとともに下縁部７および他側端８を開放端に形成し、カバー本体は上縁部にバンド１０、紐等の背負い紐状物９の両端を取付けることによりカバー本体を背負う。【選択図】　　　図１
0003099499.tif 000002
【実用新案登録請求の範囲】
【請求項１】
柔軟性を有する撥水性材料にて形成される表装材と該表装材の内面に重合される吸水性部材とにより形成されるカバー本体を二つ折りして上縁部及び左右の一側端を閉鎖端に形成するとともに下縁部および他側端を開放端に形成し、前記カバー本体は上縁部にバンド、紐等の背負い紐状物の両端を取付けることにより前記カバー本体を背負うことを特徴とするゴルフクラブのグリップ部用覆いカバー。
【請求項２】
前記カバー本体の開放端相互の対向する適宜位置に雄の係止鉤群と雌のループ群よりなる面ファスナー、雄雌のスナップ、雄雌のホック、ボタンとボタン穴等よりなる係止部品を着脱可能に装設したことを特徴とする請求項１に記載のゴルフクラブのグリップ部用覆いカバー。
【請求項３】
前記カバー本体の二つ折りの少なくとも内側面側の一面に蓄熱剤、保冷剤、吸水素材等の小物品を収納可能なポケット部を必要に応じて設けたことを特徴とする請求項１または請求項２に記載のゴルフクラブのグリップ部用覆いカバー。
【考案の詳細な説明】
【０００１】
【考案の属する技術分野】
本考案は、ゴルフクラブのグリップ部用覆いカバーに関するものであり、例えば雨天時にゴルフをプレーする場合にキャディなどがプレーヤーに対応して当座に必要となるゴルフクラブの必要本数のグリップ部を覆って携行することにより雨に濡れるのを防止し、プレー時にプレーヤーにゴルフクラブを手渡し、使用後は雨に濡れたグリップ部の水分を拭き取るようにしてプレーに役立たせようとするものである。
【０００２】
【従来の技術】
従来、ゴルフ場にてゴルフをプレーする場合、通常４人のプレーヤーに対して１人のキャディが各プレーヤーに付随してプレーの世話を行っているが、グリーン場ではゴルフクラブはパターを使用する以外は各コースでのプレースポット毎にキヤディがサイズやヘッド部分の材質などを異にする２、３本づつ、例えば１人平均２本として合計８本程度の適当数のゴルフクラブをカート等に積まれている各プレーヤーのゴルフバッグの中から選択して各プレーヤーがプレーを行っている近くの場所まで携行する。そして、プレーヤーはキャディが持って来てくれたゴルフクラブ中からさらにプレーに供される１本を選んでプレーを行っていた。
ところが、雨中にゴルフをプレ−する場合に、打撃時にキャディにより選ばれるゴルフクラブが雨に濡れてしまうので、プレーヤーがグリップ部分を把持して打撃するのに滑り易くなるため、ゴルフボールの打撃方向に狂いを生じたり、飛距離が伸びなかったりして打撃が失敗に終わってしまうことになる。
【０００３】
そこで、従来、キャディにより選ばれる各プレーヤーの２、３本づつのゴルフクラブのグリッブ部が雨に濡れないように防止して保護するためのグリップ部分につき保護袋として例えば実開平７−１５０６８号公報記載の考案がある。
すなわち、このグリップ部分の保護袋は、防水性の素材からなる袋の上部に折り返しを設け、下部にひもを有し、袋の内部には吸水性の素材からなる中袋を設けた構成であり、雨の日に、プレーに使用しないクラブを地面に置く時、グリップ部分に防水性の素材からなる袋を出入り口を通じて被せて、雨に濡れるのを防ぐ。
また、プレーに使用して水滴のついたクラブのグリップ部分を袋内に入れ、内部に設けてある吸水性の素材により水分を吸い取る。
【０００４】
【考案が解決しようとする課題】
しかしながら上記従来のグリップ部分保護袋は、キャディが選んだゴルフクラブのグリップ部が雨に濡れるのを防止し、保護するためにグリップ部を挿入するのは袋であり出入れ口が狭いので、出入れ口を通じてのゴルフクラブのグリップ部の出し入れには多くの手間と時間がかかっていた。しかも、袋内にグリップ部が挿入された状態で外部から何本もの同種類の各プレーヤー毎のゴルフクラブを判別してプレーに必要な１本を選択しなければならないので、ゴルフクラブの選択につき間違いを生じ易くなり、選択作業には多くの手間と時間がかかっていた。
さらには、１人平均２本として合計８本のゴルフクラブのグリップ部を袋内に挿入した状態でキャディが１人で持ち運ぶのには持ちにくく運搬が大変であった。
【０００５】
本考案は上記従来の欠点を解決し、キャディにより選択される各プレーヤー毎に例えば２，３本づつの数のゴルフクラブのグリップのカバー本体に対する出し入れ操作が誤りがなく迅速かつ確実に行えて取り扱いが簡便になり、以って各コースでのプレースポット毎に携行するゴルフクラブのグリップ部が雨に濡れるのを確実に防止し、しかもキャディの運搬も楽に行え、さらには構造簡単にして製作コストも安価なゴルフクラブのグリップ部用覆いカバーを提供しようとするものである。
【０００６】
【課題を解決するための手段】
本考案は上記従来の欠点を解決し、請求項１に記載の考案は、柔軟性を有する撥水性材料にて形成される表装材と該表装材の内面に重合される吸水性部材とにより形成されるカバー本体を二つ折りして上縁部及び左右の一側端を閉鎖端に形成するとともに下縁部および他側端を開放端に形成し、前記カバー本体は上縁部にバンド、紐等の背負い紐状物の両端を取付けることにより前記カバー本体を背負うことを特徴とするという手段を採用した。
【０００７】
また、本考案の請求項２に記載の考案は、請求項１において、前記カバー本体の開放端相互の対向する適宜位置に雄の係止鉤群と雌のループ群よりなる面ファスナー、雄雌のスナップ、雄雌のホック、ボタンとボタン穴等よりなる係止部品を着脱可能に装設したことを特徴とするという手段を採用した。
【０００８】
また、本考案の請求項３に記載の考案は、請求項１または請求項２において、前記カバー本体の二つ折りの少なくとも内側面側の一面に蓄熱剤、保冷剤、吸水素材等の小物品を収納可能なポケット部を必要に応じて設けたことを特徴とするという手段を採用した。
【０００９】
【考案の実施の形態】
以下、図面に従って本考案の実施の形態の具体例を詳細に説明する。
【００１０】
図１は本考案のゴルフクラブのグリップ部用覆いカバーの一実施形態を示す斜視図、図２は断面図、図３は使用状態を示す斜視図である。
【００１１】
１は二つ折りされるカバー本体であり、このカバー本体１は柔軟性を有する撥水性材料２にて形成される表装材３と該表装材３の内面に重合される吸水性部材４とにより形成される。そして、このカバー本体１は、上縁部５及び左右の一側端６を閉鎖端に形成するとともに下縁部７および他側端８は開放端に形成される。
なお、図示のカバー本体１は例示であり、このカバー本体１の大きさ、形状は自由に変更可能である。
【００１２】
９は背負い紐状物であり、この背負い紐状物９は両端を前記カバー本体１の上縁部５に取付けることにより例えばキャディがカバー本体１を小脇に抱えるようにたすき掛けに背負ったり、単に背負ったりするためのものである。また、この背負い紐状物９としては、例えば使用者の身丈に応じて伸縮可能に長さが調整されるバンド１０や図には示さない紐が用いられる。１１はバンド１０を伸縮可能に調整するためのバックル形状の長さ調整具である。
【００１３】
前記表装材３を形成するための撥水性材料２としては、例えば柔軟性を有する合成樹脂ビニールシート、合成ゴムシート、合成皮革、皮革、さらには布の表面に合成樹脂や合成ゴムをライニングしたものが使用される。また、前記合成樹脂ビニールシートを用いる場合には、例えば引っ張りまたは圧縮等に対する強度を発揮するために繊維入りのものが好ましく、しかも着色したものに限らず、内部を透視し易くする場合には透明性を有するのが好ましい。
【００１４】
表装材３の内面に重合される前記吸水性部材４は、例えばキルティング地、タオル地等の布帛、不織布等があり、ゴルフクラブＣのグリップ部Ｇが雨に濡れた場合に吸水するためのものである。
【００１５】
カバー本体１の上縁部５及び左右の一側端６を前記閉鎖端とするには、上縁部５及び左右の一側端６の何れか一方を二つ折りして閉鎖された一方の閉鎖端に設定し、開かれている他方を縫着したり、または接着する等して他方の閉鎖端にすれば容易に形成することができる。
【００１６】
１２はカバー本体１の前記開放端が形成される下縁部７および他側端８に沿って縫着された補強縁片であり、この補強縁片１２は表装材３が摩滅したり、避けたり、破れたりするのを防止して補強するためのものである。
【００１７】
１３はカバー本体１の前記開放端側の他側端８の対向する１つに突設された適宜形状の摘み片であり、この摘み片１３はカバー本体１に対してゴルフクラブＣのグリップ部Ｇを出し入れ操作する場合に二つ折りされるカバー本体１の一葉を持ち上げたり、持ち上げた一葉を降ろすのを確実に取り扱うためのものである。
【００１８】
１４は前記カバー本体１の下縁部７および／または他側端８の開放端相互の対向する適宜個所に着脱可能に装設された係止部品であり、この係止部品１４は図１、図２では雄の係止鉤群と雌のループ群よりなる面ファスナー１５Ａ，１５Ｂが用いられたり、また係止部品としては図には示さないが、例えば雄雌のスナップ、雄雌のホック、ボタンとボタン穴等により形成され、風雨が強い時でのゴルフクラブＣの運搬中等にゴルフクラブＣのグリップ部Ｇに対してカバー本体１の外側の一葉が不用意に開いて雨にグリップ部Ｇが濡れるのを防止するためである。
【００１９】
１６は二つ折りの前記カバー本体１の少なくとも内側面側の一面に必要に応じて設けたポケット部であり、このポケット部１６は例えば蓄熱剤、保冷剤、タオル等の手拭き等の吸水素材等の小物品１７を収納可能にするためのものである。
【００２０】
本考案の一実施形態は以上の構成からなり、雨の日にゴルフ場でゴルフを行うのに、例えば通常４人のプレーヤーに付随して世話をする１人のキャディが先ず二つ折りされたカバー本体１の上縁部５に両端が取付けられたバンド、紐等の背負い紐状物９を図３に示すようにたすき掛けに背負うことにより二つ折り状態の前記カバー本体１を背中側に配置する。
【００２１】
そして、キヤディは各コースでのプレースポット毎にカート等に積まれている各プレーヤーのゴルフバッグの中からサイズやヘッド部分の材質などを異にするゴルフクラブＣ・・・を２、３本づつ、例えば１人平均２本として合計８本のゴルフクラブＣ・・・を選択する。
【００２２】
そして、前述したように背中にたすき掛けした背負い紐状物９に取付けられ、キャディに背負われるカバー本体１により選択されたゴルフクラブＣ・・・のグリップＧ・・・を覆う。
この時、カバー本体１は前述のようにキャディの肩にたすき掛けした背負い紐状物９に取付けられているのと、開放端としての他側端８および開放された下縁部７とが連設されているので、出し入れのための開口された空間部が大きく開かれるため、カバー本体１を上方から被せるだけのワンタッチの取り扱いによりカバー本体１内に選択されたゴルフクラブＣ・・・のグリップＧ・・・を簡単かつ確実にカバー本体１により覆い隠すことができる。
【００２３】
しかも、カバー本体１は前述のようにキャディの肩にたすき掛けした背負い紐状物９に取付けられて背中に背負われ、グリップＧ・・・のシャフト側を片手で小脇に抱えるので、他方の手は自由になり、傘等をさす等することができる。
【００２４】
それから、キャディはカバー本体１によりグリップ部Ｇ・・・を覆って雨に濡れないようにしながらカバー本体１をたすき掛けした背負い紐状物９を介して背中に背負いゴルフクラブＣ・・・のシャフト側を小脇に抱えて各プレーヤーがプレーを行っている近くの場所まで携行する。
【００２５】
この際、風雨が強い時でのゴルフクラブＣ・・・の運搬については、カバー本体１の下縁部７および／または他側端８の開放端相互の対向する適宜個所に着脱可能に装設された係止部品１４としての図１、図２では雄の係止鉤群よりなる面ファスナー１５Ａと雌のループ群よりなる面ファスナー１５Ｂとを係合することによりカバー本体１の外側の一葉が不用意に開くのが阻止されるため、ゴルフクラブＣ・・・のグリップ部Ｇ・・・が雨に濡れるのを確実に防止することができる。
【００２６】
また、図１、図２に示す係止部品１４は例示であり、面ファスナー１５Ａ，１５Ｂのほかに例えば図には示さないが、例えば雄雌のスナップ、雄雌のホック、ボタンとボタン穴等を用いた場合にも面ファスナー１５Ａ，１５Ｂの係止作用と同様にカバー本体１の外側の一葉が不用意に開いて雨にグリップ部Ｇが濡れるのを防止することができる。
【００２７】
このようにして、キャディがカバー本体１によりグリップ部Ｇ・・・を覆うことにより雨に濡れないようにして持って来てくれたゴルフクラブＣ・・・の中からカバー本体１の開放端側に位置する他側端８相互の対向する一葉の適宜位置に突設された摘み片１３を把持してめくり上げることによりプレーに供される１本のゴルフクラブＣを選んでプレーヤーに手渡ししてプレーを行う。このため、プレーヤーがグリップ部Ｇを把持して打撃する場合にスリップするのが防がれ、ゴルフボールをめざす打撃方向に正確に打撃することができるとともに飛距離も伸ばすことができ、打撃を好結果に終えることができる。
【００２８】
また、二つ折りのカバー本体１の少なくとも内側面側の一面にはポケット部１６が必要に応じて設けられているので、このポケット部１６内に蓄熱剤を収納すれば、発生する熱によりグリップ部Ｇ・・・を温めることができる。従って、冬期での凍えた手先を温めることにより血行を促進し、打撃を好結果とすることができる。
また、ポケット部１６内に保冷剤を収納しておけば夏期にゴルフを行う場合に、手に生じた汗等を退かせてグリップ部Ｇに対するスリップを阻止することができ、打撃を好結果とすることができる。
また、ポケット部Ｇ内に手拭き等の吸水素材等の小物品１７やタオル等を収納しておけば手にかいた汗や汚れたボールを拭いて綺麗にすることができる。
【００２９】
そして、打撃終了後にプレーに供したゴルフクラブＣのグリップ部Ｇが雨に濡れた場合には、カバー本体１の表装材３の内面に重合して設けられた吸水性部材４よりなる例えばキルティング地、タオル地等の布帛、不織布等等により拭うことによりグリップ部Ｇに付着された雨を吸水して綺麗にし、グリップＧをカバー本体１にて再び覆って持ち帰る。
【００３０】
【考案の効果】
本考案の請求項１に記載の考案は以上のように、柔軟性を有する撥水性材料にて形成される表装材と該表装材の内面に重合される吸水性部材とにより形成されるカバー本体を二つ折りして上縁部及び左右の一側端を閉鎖端に形成するとともに下縁部および他側端を開放端に形成し、前記カバー本体は上縁部にバンド、紐等の背負い紐状物の両端を取付けることにより前記カバー本体を背負うので、キャディにより選択される各プレーヤー毎に２，３本づつの数のゴルフクラブのグリップ部のカバー本体に対する出し入れ操作が誤りがなく迅速かつ確実に行うことができ、取り扱いが簡便になり、各コースでのプレースポット毎に携行するゴルフクラブのグリップ部が雨に濡れるのを確実に防止することができる。しかも、カバー本体は上縁部にバンド、紐等の背負い紐状物の両端を取付けたことによりグリップ部を覆うカバー本体をゴルフクラブのシャフト側を小脇に抱えるようにたすき掛けに背負うことができるので、キャディの運搬も楽に行える。
また本考案の請求項１に記載のゴルフクラブ用グリップカバーは、表装材と該表装材の内面に重合される吸水性部材よりなる二つ折りされるカバー本体により形成されるので、部品点数が少なく構造簡単にして製作コストも安価になる。
【００３１】
また、本考案の請求項２に記載の考案は、請求項１において、前記カバー本体の開放端相互の対向する適宜位置に雄の係止鉤群と雌のループ群よりなる面ファスナー、雄雌のスナップ、雄雌のホック、ボタンとボタン穴等よりなる係止部品を着脱可能に装設したことを特徴とするので、風雨が強い場合にもグリップ部が不用意にめくり上がって雨に濡れるのを確実に防止することができる。こうして、打撃する時のグリップ部のスリップを防ぎ、ゴルフボールをめざす打撃方向に正確に打撃することができるとともに飛距離も伸ばすことができ、打撃を好結果に終えることができる。
【００３２】
また、本考案の請求項３に記載の考案は、請求項１または請求項２において、二つ折りの前記カバー本体の少なくとも内側面側の一面に蓄熱剤、保冷剤、手拭き等の吸水素材等の小物品を収納可能なポケット部を必要に応じて設けたことを特徴とするので、このポケット部内に蓄熱剤を収納すれば、発生する熱によりグリップ部を温め、冬期での凍えた手先を温めることにより打撃を好結果とすることができる。また、ポケット部内に保冷剤を収納しておけば夏期にゴルフを行う場合に手に生じた汗等を退かせてグリップ部のスリップを阻止することができ、打撃を好結果とすることができる。
また、ポケット部内に手拭き等の吸水素材等の小物品等を収納しておけば手にかいた汗や汚れたボールを拭いて綺麗にすることができる。
【図面の簡単な説明】
【図１】図１は本考案のゴルフクラブのグリップ部用覆いカバーの一実施形態を示す斜視図である。
【図２】同じく図２は断面図である。
【図３】同じく図３は使用状態を示す斜視図である。
【符号の説明】
１　　カバー本体
２　　撥水性材料
３　　表装材
４　　吸水性部材
５　　上縁部
６　　一側端
７　　下縁部
８　　他側端
９　　背負い紐状物
１０　バンド
１３　摘み片
Ｃ　　ゴルフクラブ
Ｇ　　グリップ部
【図１】
0003099499.tif 000003
【図２】
0003099499.tif 000004
【図３】
0003099499.tif 000005